(57)【要約】【課題】リモコンで行われる操作や設定される特性値を本体側で視覚的に認識することができるリモコン式装置を提供する。【解決手段】表示部３を有する本体２と、上記本体２を遠隔操作することが可能なリモコン１とを備え、上記リモコン１に本体２を制御するための操作手段６,６を設けると共に、上記操作手段６,６そのもの又はその周辺に、各操作手段６に対応する色を表示し、上記操作手段６の操作によって、上記と略同じ色を、上記本体２の表示部３に表示させる。【選択図】図１
2006109515.tif 000002
【特許請求の範囲】
【請求項１】
表示部（３）を有する本体（２）と、上記本体（２）を遠隔操作することが可能なリモコン（１）とを備えたリモコン式装置において、上記リモコン（１）に本体（２）を制御するための操作手段（６）,（６）を設けると共に、上記操作手段（６）,（６）又はその周辺に、各操作手段（６）に対応する色を表示し、上記操作手段（６）の操作によって、上記と略同じ色を、上記本体（２）の表示部（３）に表示させることを特徴とするリモコン式装置。
【請求項２】
上記操作手段（６）そのものに着色していることを特徴とする請求項１のリモコン式装置。
【発明の詳細な説明】
【技術分野】
【０００１】
この発明は、リモコン操作によって設定された動作状態を本体側で視覚的に表示させることが可能なリモコン式装置に関するものである。
【背景技術】
【０００２】
近年では、空気調和機やオーディオ機器等の電気製品における各種運転操作は、リモコンによって遠隔操作するのが一般的になっている。例えば、空気調和機の室内機を遠隔操作するリモコンでは、これによって運転のオン／オフ、暖房運転、冷房運転、除湿運転等の運転モードの切り換え、また、風量制御、温度制御等の各種の制御を行うことができるようになっている。
【０００３】
ところで、上記室内機には発光ダイオード（ＬＥＤ）等からなる表示灯が設けられており、運転オフから運転オンの操作を行った場合、上記表示灯は消灯状態から点灯状態となり、また運転オンから運転オフの操作を行った場合、上記表示灯は点灯状態から消灯状態となるように制御されている。このため、リモコン操作者は運転のオン／オフ切り換えについては、表示灯の点灯／消灯状態を視覚的に認識することで運転が行われているか否かを判断することができるようになっている。
【０００４】
しかしながら、上記運転のオン／オフ操作以外の操作を行う場合、例えば暖房運転、冷房運転等の運転モードの切り換えを行うような場合は、リモコン側でその設定操作、すなわち、運転モード切換ボタンを数回押すことによって希望する運転モードを選択するという操作が行われるが、このとき、上記室内機側の表示灯は点灯状態のままであり、上記で選択された運転モードは表示されない。このため、運転オン中において、室内機側を見る限りではリモコン側で指示したモードで運転が行われているのか否かを認識することができないという問題があった。
【発明の開示】
【発明が解決しようとする課題】
【０００５】
この発明は上記従来の欠点を解決するためになされたものであって、その目的は、リモコンで行われる操作や設定される特性値を本体側で視覚的に認識することが可能なリモコン式装置を提供することにある。
【課題を解決するための手段】
【０００６】
そこで本発明のリモコン式装置は、表示部を有する本体と、上記本体を遠隔操作することが可能なリモコンとを備えたリモコン式装置において、上記リモコンに本体を制御するための操作手段を設けると共に、上記操作手段又はその周辺に、各操作手段に対応する色を表示し、上記操作手段の操作によって、上記と略同じ色を、上記本体の表示部に表示させることを特徴としている。
【０００７】
上記構成のリモコン式装置では、各操作手段に、これに対応する動作を色で表示すると共に、上記操作手段の操作に伴って、この操作に対応する動作の色を、本体の表示部にも表示させている。このように、リモコン側の操作手段に表示された色と、本体側の表示部に表示される色を１対１対応させたことによって、操作者は自分が操作した操作手段に表示された色と本体の表示部の色が同じであるか否かによって、指示した操作が行われているかどうかを視覚的に認識することができる。また、操作者以外の人であっても、本体の表示部に表示された色を見れば、現在どのような運転が行われているのかを容易に知ることができると共に、操作者が行った操作が、現在の状態に適しているか否かの判断を行うこともできる。
【０００８】
本発明の一実施形態は、上記操作手段そのものに着色していることを特徴としている。
【０００９】
上記構成の実施形態では、操作手段そのものに色を付け、操作手段の色と本体の表示部に表示される色とを合わせたことによって、上記効果がより顕著に現れる。
【００１０】
また、本発明のリモコン式装置は、表示部を有する本体と、上記本体を遠隔操作することが可能なリモコンとを備えたリモコン式装置において、上記リモコンに本体を制御するための操作手段を設けると共に、上記操作手段又はその周辺に、各操作手段によって設定すべき特性値を色分けして表示し、上記操作手段の操作によって、設定される特性値と略同じ色を、上記本体の表示部に表示させることを特徴としている。
【００１１】
上記構成のリモコン式装置では、各操作手段に、各操作手段によって設定すべき特性値を色分けして表示すると共に、上記操作手段の操作によって、設定される特性値と略同じ色を、上記本体の表示部に表示させている。この結果、操作者は自分が設定したある操作に対する特性値の色と、本体の表示部の色が同じであるか否かによって、指示した設定となっているかどうかを視覚的に認識することができる。また、操作者以外の人であっても、本体の表示部に表示された色を見れば、現在どのような設定が選択されているのかを容易に知ることができると共に、操作者が行った設定が、現在の状態に適しているか否かの判断を行うこともできる。
【００１２】
本発明の一実施形態は、上記本体の表示部には、上記リモコンに色分け表示された特性値に対応する現状特性値の色を表示させることを特徴としている。
【００１３】
上記構成の実施形態では、本体の表示部に、リモコンに色分け表示された特性値に対応する現状特性値の色を表示させている。この結果、リモコン側の操作手段に色分け表示された各特性値に対応する色と、本体側の表示部が表示している色とを見比べることによって、現在の状態が設定値、又は目標値に達しているか否かを判断することが可能となる。
【発明を実施するための最良の形態】
【００１４】
次に、この発明のリモコン式装置の具体的な実施の形態について、図面を参照しつつ詳細に説明する。
【００１５】
この実施の形態は、この発明を空気調和機の室内機と、これを遠隔操作するためのリモコンに適用したものである。図１は空調室内機２とそのリモコン１を正面から見た概略平面図である。まず、上記室内機２の前面には、その上方側に吸込口１０が、また下方側に吹出口１１が形成されており、この吸込口１０と吹出口１１との間の位置には、例えば、室内機２が行っている暖房運転、冷房運転等の運転状態を表示するための本体表示部３が設けられている。上記本体表示部３には、光を拡散することが可能な反射板や導光板等が使用されており、この本体表示部３の左右両側の位置には、色の異なる３個のＬＥＤ４,４（例えば赤、青、緑等）がそれぞれ対になって設けられている。そして、これらＬＥＤ４,４の輝度をそれぞれ調整することによって、無段階に色を変化させることができるようになっている。
【００１６】
一方、上記室内機２を遠隔操作するリモコン１には、リモコン本体５の前面側の位置に、各種運転モードを示す暖房、冷房、除湿、加湿等の独立した運転ボタン６,６（操作手段）が設けられており、利用者が希望する運転モードの運転ボタン６を一度押すだけで、直ちにそのモードでの運転を開始するように制御されている。このとき、上記各運転ボタン６,６には、それぞれ暖房、冷房等の文字が表示されていることに加えて、各運転モードに対応する色が付けられている。すなわちこの実施形態においては、暖房を行う運転ボタン６は赤色、冷房を行う運転ボタン６は青色、除湿を行う運転ボタン６は緑色、加湿を行う運転ボタン６は橙色というように、運転ボタン６,６ごとにそれぞれ異なる色が付けられている。また、上記リモコン１には、上記運転ボタン６,６の他、図示しない運転オン／オフボタン、あるいは室温や風量、風向等を調節したり、現在時刻やタイマの設定等を行ったりするための各種の操作ボタンが設けられている。そして、これら操作ボタンの操作にしたがって、リモコン本体５の上端部に位置する送信部７から赤外線等の光信号が発せられ、室内機２へと送信されるようになっている。
【００１７】
さらにこの実施形態では、リモコン装置１を用いて暖房、冷房、除湿等の運転モードを選択した場合、選択した運転ボタン６の色と同じ色が室内機２の本体表示部３に表示されるように構成されている。すなわち、冷房を示す青色の運転ボタン６を押すと、本体表示部３が青色に変わって冷房運転を開始し、暖房を示す赤色の運転ボタン６を押すと、本体表示部３が赤色に変わって暖房運転が開始されるように設定されている。以下、表１に各運転モードに対応するリモコン１側の運転ボタン６の色と、室内機２側の本体表示部３に表示される色とを示す。
【００１８】
表１
2006109515.tif 000003
【００１９】
以上のように本実施の形態によれば、ある運転操作に対するリモコン１側の運転ボタン６の色と、室内機２の本体表示部３で表示される色を同じ色で合わせたことによって、操作者は自分の押した運転ボタン６の色と室内機２の本体表示部３の色が同じであるか否かによって、指示した運転が行われているかどうかを視覚的に認識することができる。さらに、操作者以外の人であっても、本体表示部３に表示された色を見れば、現在どのような運転が行われているのかを容易に知ることができるということに加えて、操作者が行った操作が、現在の室内環境に適しているか否かの判断を行うこともできる。
【００２０】
次に上記リモコン式装置の変更例について説明する。図２は上記室内機２とそのリモコン１を正面から見た一部概略図であり、上記実施形態と比較して、本体表示部３にカラー液晶８を使用した点と、リモコン１側の操作ボタンの周辺に、その操作における各特性値を色分けして表示した点、すなわち各特性値に対応した色の指標９（例えば、銘板やカラー液晶等を使用）を設けた点が異なる。
【００２１】
すなわちこの変更例によれば、例えば、操作者が上記操作ボタンの一つである温度設定ボタンを用いて目標温度を２０℃に設定したとすると、上記色の指標９で２０℃に対応する色を、室内機２側の本体表示部３に表示するように構成している。この結果、操作者は自分が設定した目標温度に対応する色と、本体表示部３に表示された色が同じであるか否かによって、指示した目標温度が選択されているかどうかを視覚的に認識することができる。また、操作者以外の人であっても、本体表示部３に表示された色を見れば、目標とする設定温度が何度になっているのかを容易に知ることができると共に、操作者が行った設定温度が、現在の室内環境に適しているか否かの判断を行うこともできる。
【００２２】
また上記変更例の他の例によれば、例えば、操作者が上記温度設定ボタンを用いて目標温度を２０℃に設定したとすると、上記室内機２側の本体表示部３には、上記指標９に示されている色のうち、現在の室内温度に対応する色が表示されるように構成している。このとき、上記本体表示部３の色は、薄い色から濃い色まで表示することが可能に構成されているため、これをインジケータとして利用すれば目標温度までの到達度を示すことができる。すなわち、操作者が設定した目標温度（この場合は２０℃）を基準として、目標温度よりも室温の方が低い場合（暖房運転時）は本体表示部３の色を濃く表示し、逆に室温の方が高い場合（冷房運転時）は薄く表示するように設定すると共に、上記室内温度の変化に応じて上記本体表示部３の色が徐々に変化するように制御すれば、上記本体表示部３が表示している色と、リモコン１側の指標９とを見比べることによって、現在の室内温度が目標温度に達しているか否かを判断することができる。
【００２３】
以上にこの発明のリモコン式装置の実施形態について説明したが、この発明は上記実施形態に限られるものではなく、種々変更して実施することが可能である。すなわち上記実施形態では、空気調和機の室内機２のリモコン１について説明したが、オーディオ機器等の他の装置に設けられているリモコンにも上記と同様に適用することが可能である。また上記実施形態では、リモコン１側の運転モードボタン、又は温度設定ボタンを例に上げて説明したが、他の操作ボタンについても同様に実施することが可能である。さらに、リモコン１側のボタンそのものに色を付けずに、その周辺に各運転に対応した色を表示することも可能である。また、本体表示部３の左右両側の位置に、色の異なる３個のＬＥＤ４,４をそれぞれ設けたが、ＬＥＤの数はこれ以上でもこれ以下でも構わない。
【図面の簡単な説明】
【００２４】
【図１】図１は、本実施形態の空調室内機とそのリモコンを正面から見た概略平面図である。
【図２】図２は、上記実施形態の変更例を示す一部概略図である。
【図１】
2006109515.tif 000004
【図２】
2006109515.tif 000005